(57)【要約】【課題】ラック軸を、径方向であってピニオンの軸心方向に関しては所定の剛性をもって支持できる一方、ラック軸の軸方向に関しては低い摩擦抵抗をもって移動自在に支持できる上に、クリープ変形及び熱履歴に伴う応力緩和の影響を低減できるブッシュ軸受及びそれを用いた自動車のラック−ピニオン式操舵装置を提供すること。【解決手段】ブッシュ軸受７は、その外周面１５に円周方向溝１６を有する合成樹脂製のブッシュ１７と、ブッシュ１７の円周方向溝１６に装着されている無端環状弾性部材１８と、Ｂ方向におけるブッシュ１７のギアハウジング６の内周面１２に対する位置を決定する位置決め手段１９とを具備している。【選択図】図１
2014047833.tif 000002
【特許請求の範囲】
【請求項１】
外周面に少なくとも一つの円周方向溝を有する合成樹脂製のブッシュと、このブッシュの円周方向溝に装着されている無端環状弾性部材とを具備していると共にピニオンに噛み合うラック軸を当該ラック軸の軸方向に移動自在に支持するブッシュ軸受であって、ブッシュは、ラック軸が挿着される貫通孔を規定した内周面と、この内周面を円周方向において部分的に分断している少なくとも一つのスリットと、ラック軸の軸方向及びピニオンの軸心方向に直交する一の方向に伸びる線上においてラック軸の外周面に摺動自在に接触するように内周面に形成されている第一の接触部と、円周方向において第一の接触部を挟んで当該円周方向において第一の接触部に対して間隔をもって配されていると共にラック軸の外周面に摺動自在に接触するように内周面に形成されている第二及び第三の接触部とを具備しており、内周面は、第一から第三の接触部を除いてラック軸の外周面との間で隙間を形成するようになっているブッシュ軸受。
【請求項２】
第二及び第三の接触部の夫々は、前記線を対称軸として線対称に配されている請求項１に記載のブッシュ軸受。
【請求項３】
第二及び第三の接触部の夫々は、円周方向において第一の接触部に対して等角度間隔をもって配されている請求項１又は２に記載のブッシュ軸受。
【請求項４】
第一から第三の接触部は、ラック軸の外周面に摺動自在に接触する内側内周面を夫々具備しており、ブッシュの内周面は、径方向において第一から第三の接触部よりも外側に配されていると共に第一及び第二の接触部間、第一及び第三の接触部間並びに第二及び第三の接触部間においてラック軸の外周面に対して隙間をもって配される外側内周面とを具備している請求項１から４のいずれか一項に記載のブッシュ軸受。
【請求項５】
内側内周面の夫々は、凸面状、凹面状又は平坦面状である請求項４に記載のブッシュ軸受。
【請求項６】
各内側内周面は、ラック軸の中心に関して５°以上であって９０°以下の中心角θ１を有している請求項４又は５に記載のブッシュ軸受。
【請求項７】
第一の接触部の内側内周面の円周方向における両縁からラック軸の中心に向かって径方向に伸びる二辺及び前記両縁を連結する一辺によって形成される二等辺三角形の垂線と第二の接触部の内側内周面の円周方向における両縁からラック軸の中心に向かって径方向に伸びる二辺及び前記両縁を連結する一辺によって形成される二等辺三角形の垂線とが交わる角度は、第一の接触部の内側内周面の円周方向における両縁からラック軸の中心に向かって径方向に伸びる二辺及び前記両縁を連結する一辺によって形成される二等辺三角形の垂線と第三の接触部の内側内周面の円周方向における両縁からラック軸の中心に向かって径方向に伸びる二辺及び前記両縁を連結する一辺によって形成される二等辺三角形の垂線とが交わる角度と等しい請求項４から６のいずれか一項に記載のブッシュ軸受。
【請求項８】
第一から第三の接触部の夫々は、ブッシュの内周面からラック軸の中心に向かって突出している請求項１から７のいずれか一項に記載のブッシュ軸受。
【請求項９】
ブッシュの内周面は、夫々互いに連接する三つの凸面状、凹面状又は平坦面状の面からなり、第一から第三の接触部の夫々は、前記三つの面の夫々に配されている請求項１から３のいずれか一項に記載のブッシュ軸受。
【請求項１０】
少なくとも一つのスリットは、ブッシュの軸方向の一端面及び他端面のうちの一方で開口していると共に当該一端面及び他端面のうちの一方から円周方向溝を通り過ぎてブッシュの軸方向の一端面及び他端面のうちの他方の近傍まで軸方向に伸びている請求項１から９のいずれか一項に記載のブッシュ軸受。
【請求項１１】
ブッシュは、前記の内周面、第一から第三の接触部、外周面及び円周方向溝を有した本体部と、この本体部の外周面に一体的に設けられていると共に円周方向において互いに離間している複数の突起とを具備しており、この複数の突起は、ラック軸が貫通したハウジングの内周面に接触するようになっている請求項１から１０のいずれか一項に記載のブッシュ軸受。
【請求項１２】
ブッシュの円周方向におけるハウジングの内周面に対する位置を決定する位置決め手段を更に具備している請求項１１に記載のブッシュ軸受。
【請求項１３】
ピニオンと、このピニオンの歯に噛み合うラック歯を有したラック軸と、このラック軸が貫通したハウジングと、このハウジングに嵌装されていると共にハウジングに対してラック軸を移動自在に支持する請求項１から１２のいずれか一項に記載のブッシュ軸受とを具備した自動車のラック−ピニオン式操舵装置。
【発明の詳細な説明】
【技術分野】
【０００１】
本発明は、ブッシュ軸受、特に自動車のラック−ピニオン式操舵装置におけるラック軸を移動自在に支持するために用いて好適なブッシュ軸受に関する。
【背景技術】
【０００２】
ラック−ピニオン式操舵装置において、ピニオンの歯に噛み合うラック歯を有したラック軸は、ハウジングとしてのギアボックスにブッシュ軸受を介して移動自在に支持される。ブッシュ軸受としては合成樹脂製のものが種々提案されているが、斯かる合成樹脂製のブッシュ軸受は、通常、締め代をもってラック軸を移動自在に支持するようになっている（特許文献１参照）。
【０００３】
合成樹脂製のブッシュ軸受において、支持するラック軸に対して大きな締め代をもつようにすると、ラック軸を径方向に関して所定の剛性をもってしっかりと支持できるが、ラック軸をきつく締め付けることになるので、軸方向の摺動摩擦抵抗が大きくなって、ラック軸を良好な移動特性をもって支持できなくなる一方、支持するラック軸に対して小さな締め代をもつようにすると、ラック軸に対して低い摺動摩擦抵抗をもった軸方向の良好な移動特性は期待できるが、ラック軸に大きな芯ずれやラック軸との間に隙間等が生じ易くなって、径方向の剛性的支持が低下することにもなる。
【０００４】
前記諸点を解決すべく、特許文献２においては、外周面に少なくとも一つの円周方向溝を有する合成樹脂製のブッシュと、このブッシュの円周方向溝に装着されている無端環状弾性部材とを具備しており、ここで、ブッシュは、軸対称に配されている一対の内側内周面と、円周方向において一方の内側内周面を挟んで配されていると共に当該内側内周面を径方向であって内外方向に移動自在とする一対のスリットと、円周方向において他方の内側内周面を挟んで配されていると共に当該内側内周面を径方向であって内外方向に移動自在とする他の一対のスリットと、径方向において一対の内側内周面よりも外側に配された少なくとも一対の外側内周面とを具備しており、各外側内周面は、一対の内側内周面と一対の外側内周面とにより規定された貫通孔に挿着されるラック軸のラック歯側及びラック歯側とは反対側の外周面のうちの対応の外周面との間で隙間を形成するようになっており、各内側内周面は、少なくともその一部でラック軸のラック歯側及びラック歯側とは反対側の外周面を除く対応の外周面に摺動自在に接触するようになっているブッシュ軸受が提案されている。
【先行技術文献】
【特許文献】
【０００５】
【特許文献１】特許第３５４３６５２号特許掲載公報
【特許文献２】特開２００７−１８７２８５号公報
【発明の概要】
【発明が解決しようとする課題】
【０００６】
ところで、ラック軸は、通常、ピニオンに隣接した側とピニオンから離れた側との二つの部位でブッシュ軸受により移動自在に支持されるが、特に、ピニオンに隣接した側のラック軸の部位では、ピニオンの歯とラック歯との噛み合いの影響により、ピニオンの軸心方向の変位、ピニオンに対して接近、離反する方向の変位等の径方向の変位が生じ得て、操舵感を大きく劣化させる虞がある。
【０００７】
また、合成樹脂製のブッシュ軸受では、合成樹脂のクリープ変形によってラック軸との間に隙間が生じて径方向の剛性的支持が低下する虞があり、また熱履歴に伴う合成樹脂の応力緩和によって特に径方向の収縮が生じる場合には、ラック軸に対する締め代が増加して摺動摩擦抵抗が大きくなる虞がある。
【０００８】
加えて、自動車のラック−ピニオン式操舵装置におけるラック軸を摺動自在に支持するために合成樹脂製のブッシュ軸受を用いると、ラック−ピニオン式操舵装置のギアボックス内が密閉されてギアボックス内の空気の流出入が困難となり、無理矢理な空気の流出入でもって、異音が生じたり或いはラック軸との間の隙間に適用されたグリース等の潤滑剤の早期の消失が生じたりする虞がある。
【０００９】
本発明は、前記諸点に鑑みてなされたものであって、その目的とするところは、ラック軸を、径方向の変位を生じさせずに好適に支持することができる上に、クリープ変形及び熱履歴に伴う応力緩和の影響を低減できるブッシュ軸受及びそれを用いた自動車のラック−ピニオン式操舵装置を提供することにある。
【課題を解決するための手段】
【００１０】
ピニオンに噛み合うラック軸を当該ラック軸の軸方向に移動自在に支持する本発明のブッシュ軸受は、外周面に少なくとも一つの円周方向溝を有する合成樹脂製のブッシュと、このブッシュの円周方向溝に装着されている無端環状弾性部材とを具備しており、ブッシュは、ラック軸が挿着される貫通孔を規定した内周面と、この内周面を円周方向において部分的に分断している少なくとも一つのスリットと、ラック軸の軸方向及びピニオンの軸心方向に直交する一の方向に伸びる線上においてラック軸の外周面に摺動自在に接触するように内周面に形成されている第一の接触部と、円周方向において第一の接触部を挟んで当該円周方向において第一の接触部に対して間隔をもって配されていると共にラック軸の外周面に摺動自在に接触するように内周面に形成されている第二及び第三の接触部とを具備しており、内周面は、第一から第三の接触部を除いてラック軸の外周面との間で隙間を形成するようになっている。
【００１１】
本発明のブッシュ軸受によれば、ブッシュが第一から第三の接触部を具備しているために、ピニオンの軸心方向の変位、ピニオンに対して接近、離反する方向の変位等の径方向の変位が生じる虞をなくし得、しかも、内周面が当該内周面に形成された第一から第三の接触部を除いてラック軸の外周面との間で隙間を形成するようになっているために、上記と相俟ってクリープ変形及び熱履歴に伴う応力緩和の影響を低減できる。
【００１２】
ブッシュの形成材料としての合成樹脂は、耐摩耗性に優れて低摩擦特性を有し、しかも、所定の撓み性と剛性とを有すると共に熱伸縮の少ないものが好ましく、具体的には、ポリアセタール樹脂、ポリアミド樹脂、ポリオレフィン樹脂及びフッ素樹脂のうちの少なくとも一つを含む合成樹脂等を挙げることができる。
【００１３】
無端環状弾性部材は、断面において円形、楕円形、矩形又は扁平状の長円形を有しているが、本発明はこれらに限定されず、断面Ｘ字形状、断面Ｕ字形状又は断面台形状等の他の形状であってもよく、また、好ましくは、天然ゴム製又は合成ゴム製であるが、その他の弾性を有する熱可塑性合成樹脂、例えばポリエステルエラストマーであってもよい。斯かる無端環状弾性部材として、一般に使用されているＯリングを好ましく用いることができる。円周方向溝に装着されている無端環状弾性部材は、ブッシュの外周面から部分的に突出していても、これに代えて、その全体が円周方向溝に配されてブッシュの外周面から突出していなくてもよいが、部分的に突出する場合には、ブッシュ軸受が嵌装されるハウジングの内周面にその外周面で接触するようになっていても、これに代えて、その外周面とハウジングの内周面との間で環状の隙間を形成するようになっていてもよい。
【００１４】
ブッシュは、少なくとも一つの円周方向溝をその外周面に具備していればよいのであるが、複数の円周方向溝をその外周面に具備する場合には、各円周方向溝に無端環状弾性部材が装着されていてもよい。
【００１５】
第二及び第三の接触部の夫々は、好ましくは、前記線を対称軸として線対称に配されている。
【００１６】
第二及び第三の接触部の夫々は、好ましくは、円周方向において第一の接触部に対して等角度間隔をもって配されている。
【００１７】
第一から第三の接触部は、ラック軸の外周面に摺動自在に接触する内側内周面を夫々具備しており、ブッシュの内周面は、径方向において第一から第三の接触部よりも外側に配されていると共に第一及び第二の接触部間、第一及び第三の接触部間並びに第二及び第三の接触部間においてラック軸の外周面に対して隙間をもって配される外側内周面とを具備していてもよい。
【００１８】
内側内周面の夫々は、好ましい例では、平坦面状であるが、これに代えて、凸面状であっても、更には、ラック軸の円筒状の外周面の曲率半径と同一又はそれよりも大きな曲率半径をもった凹面状であってもよい。
【００１９】
各内側内周面は、少なくともその一部でラック軸のラック歯側を除く外周面に摺動自在に接触して、ラック軸を径方向において所定の剛性をもって支持できる程度に、ラック軸の中心に関しての中心角θ１を有していればよく、好ましくは、ラック軸の中心に関して５°以上であって９０°以下の中心角θ１を有している。各内側内周面は、その一部で又はその全部でラック軸のラック歯側を除く対応の外周面に摺動自在に接触していればよい。
【００２０】
本発明のブッシュ軸受では、好ましくは、第一の接触部の内側内周面の円周方向における両縁からラック軸の中心に向かって径方向に伸びる二辺及び前記両縁を連結する一辺によって形成される二等辺三角形の垂線と第二の接触部の内側内周面の円周方向における両縁からラック軸の中心に向かって径方向に伸びる二辺及び前記両縁を連結する一辺によって形成される二等辺三角形の垂線とが交わる角度は、第一の接触部の内側内周面の円周方向における両縁からラック軸の中心に向かって径方向に伸びる二辺及び前記両縁を連結する一辺によって形成される二等辺三角形の垂線と第三の接触部の内側内周面の円周方向における両縁からラック軸の中心に向かって径方向に伸びる二辺及び前記両縁を連結する一辺によって形成される二等辺三角形の垂線とが交わる角度と等しい。
【００２１】
第一から第三の接触部の夫々は、ブッシュの内周面からラック軸の中心に向かって突出していてもよい。
【００２２】
また、本発明のブッシュ軸受では、ブッシュの内周面は、夫々互いに連接する三つの凸面状、凹面状又は平坦面状の面からなっていてもよく、第一から第三の接触部の夫々は、斯かる三つの面の夫々に配されていてもよい。
【００２３】
好ましい例では、少なくとも一つのスリットは、ブッシュの軸方向の一端面及び他端面のうちの一方で開口していると共に当該一端面及び他端面のうちの一方から円周方向溝を通り過ぎてブッシュの軸方向の一端面及び他端面のうちの他方の近傍まで軸方向に伸びている。斯かるスリットは、軸方向と平行に伸びていても、これに代えて、軸方向に対して傾斜して伸びていてもよく、更には、スリットが少なくとも二つある場合には、二つのスリットのうちの一方は軸方向と平行、二つのスリットのうちの他方は軸方向に対して傾斜して夫々伸びていてもよい。
【００２４】
ブッシュは、前記の内周面、第一から第三の接触部、外周面及び円周方向溝を有した本体部と、この本体部の外周面に一体的に設けられていると共に円周方向において互いに離間している複数の突起とを具備していてもよく、この複数の突起は、ラック軸が貫通したハウジングの内周面に接触するようになっていてもよい。
【００２５】
本発明のブッシュ軸受は、ブッシュの円周方向におけるハウジングの内周面に対する位置を決定する位置決め手段を更に具備していてもよい。
【００２６】
位置決め手段は、好ましい例では、ハウジングの内周面に設けられた凹所に嵌合するように、ブッシュに一体的に設けられた突起を具備していてもよい。
【００２７】
本発明の自動車のラック−ピニオン式操舵装置は、ピニオンと、このピニオンの歯に噛み合うラック歯を有したラック軸と、このラック軸が貫通したハウジングと、このハウジングに嵌装されていると共にハウジングに対してラック軸を移動自在に支持する上述のブッシュ軸受とを具備している。
【００２８】
本発明のラック−ピニオン式操舵装置において、ハウジングとしては、ピニオンを収容するギアハウジングと共にラック軸を支持する中空支持部材であってよいが、好ましくは、ピニオンを収容するギアハウジングであって、ブッシュ軸受は、斯かるピニオンに隣接した側でラック軸を移動自在に支持するようにハウジングに、好ましい例ではハウジングとしてのギアハウジングに配される。
【発明の効果】
【００２９】
本発明によれば、ラック軸を、径方向の変位を生じさせずに好適に支持することができる上に、クリープ変形及び熱履歴に伴う応力緩和の影響を低減できるブッシュ軸受及びそれを用いた自動車のラック−ピニオン式操舵装置を提供することができる。
【図面の簡単な説明】
【００３０】
【図１】図１は、本発明の好ましい実施の形態の一例の図２に示すＩ−Ｉ線矢視断面図である。
【図２】図２は、図１に示す例の左側面図である。
【図３】図３は、図１に示す例の右側面図である。
【図４】図４は、図４に示す例の平面図である。
【図５】図５は、図１に示す例の底面図である。
【図６】図６は、図１に示す例の一部拡大説明図である。
【図７】図７は、図１に示す例を自動車のラック−ピニオン式操舵装置に用いた例の説明図である。
【図８】図８は、図７に示す例の右側面図である。
【図９】図９は、本発明の好ましい実施の形態の他の例の一部拡大説明図である。
【図１０】図１０は、本発明の好ましい実施の形態の更に他の例の一部拡大説明図である。
【図１１】図１１は、本発明の好ましい実施の形態の更に他の例の説明図である。
【図１２】図１２は、本発明の好ましい実施の形態の更に他の例の説明図である。
【図１３】図１３は、本発明の好ましい実施の形態の更に他の例の説明図である。
【発明を実施するための形態】
【００３１】
次に本発明の実施の形態を、図に示す好ましい例に基づいて更に詳細に説明する。なお、本発明はこれら例に何等限定されないのである。
【００３２】
図７及び図８において、本例の自動車のラック−ピニオン式操舵装置１は、ピニオン２と、ピニオン２の歯３に噛み合うラック歯４を有したラック軸５と、ラック軸５が貫通したハウジングとしてのギアハウジング６と、ギアハウジング６に嵌装されていると共にギアハウジング６に対してラック軸５を軸方向であるＡ方向に移動自在に支持するブッシュ軸受７とを具備している。
【００３３】
軸心１１を有したピニオン２は、ステアリングホイール（操舵輪）の回転で軸心１１を中心としてＲ１又はＲ２方向に回転されるようになっている。ギアハウジング６はブッシュ軸受７が嵌装される円筒状の内周面１２を有している。
【００３４】
ブッシュ軸受７は、特に図１から図５に示すように、その外周面１５に円周方向溝１６を有する合成樹脂製のブッシュ１７と、ブッシュ１７の円周方向溝１６に装着されていると共に天然ゴム製又は合成ゴム製のＯリング等からなる無端環状弾性部材１８と、円周方向であるＢ方向におけるブッシュ１７のギアハウジング６の内周面１２に対する位置を決定する位置決め手段１９とを具備している。
【００３５】
ブッシュ１７は、本体部３５と、本体部３５の外周面１５に一体的に設けられていると共にＢ方向において１８０°間隔をもって互いに離間している二個の突起３６及び３７とを具備している。
【００３６】
本体部３５は、前記の外周面１５及び円周方向溝１６に加えて、曲率中心が中心Ｏに位置する円弧状の内周面７１と、内周面７１をＢ方向において部分的に分断しているスリット２３、２４、２５、２６及び３０と、Ａ方向及びピニオン２の軸心方向に直交する一の方向に伸びる線７２上においてラック軸５の外周面４１に摺動自在に接触するように内周面７１に形成されている接触部７３と、Ｂ方向において接触部７３に対して間隔をもって配されていると共に線７２よりも一方側においてラック軸５の外周面４１に摺動自在に接触するように内周面７１に形成されている接触部７４と、Ｂ方向において接触部７３に対して間隔をもって配されていると共に接触部７４との間で接触部７３を挟んで配されており、且つ線７２よりも他方側においてラック軸５の外周面４１に摺動自在に接触するように内周面７１に形成されている接触部７５とを具備している。
【００３７】
外周面１５は、スリット２３、２４、２５、２６及び３０によりＢ方向において部分的に分断されており、ギアハウジング６の内周面１２との間で隙間３８を形成している。
【００３８】
接触部７４及び７５の夫々は、本例では、線７２を対称軸として線対称に配されており、Ｂ方向において接触部７３に対して等角度間隔をもって配されている。接触部７３、７４及び７５の夫々は、内周面７１からラック軸５の中心Ｏに向かって突出している。接触部７３、７４及び７５は、少なくとも夫々の一部でラック軸５の外周面４１においてラック歯４側の外周面４８を除く外周面５０、４２及び４３に摺動自在に接触するようになっている。接触部７３、７４及び７５の夫々は、Ｃ方向において内周面７１よりも内側に配されていると共にラック軸５の外周面４１に摺動自在に接触する平坦面状の内側内周面２０、２１及び２２を有している。
【００３９】
内側内周面２０は、ラック軸５の中心Ｏに関して５°以上であって９０°以下、本例では３０°の中心角θ１を有しており、内側内周面２１は、ラック軸５の中心Ｏに関して５°以上であって９０°以下、本例では３０°の中心角θ１を有しており、内側内周面２２は、ラック軸５の中心Ｏに関して５°以上であって９０°以下、本例では３０°の中心角θ１を有している。
【００４０】
内側内周面２０は、その一部でラック軸５の外周面４１においてラック軸５のラック歯４側の外周面４８を除くラック歯４側とは反対側の外周面５０に摺動自在に線接触するようになっている。内側内周面２１は、その一部でラック軸５の外周面４１においてラック軸５のラック歯４側及びラック歯４側とは反対側の外周面４８及び５０を除く線７２に対して一方側の外周面４２に摺動自在に線接触するようになっている。内側内周面２２は、その一部でラック軸５の外周面４１においてラック軸５のラック歯４側及びラック歯４側とは反対側の外周面４８及び５０を除く線７２に対して他方側の外周面４３に摺動自在に線接触するようになっている。内側内周面２０、２１及び２２は、外周面４１に線接触するようになっているが、例えば面接触するようになっていてもよい。内側内周面２１及び２２は、本例では、Ｂ方向において１８０°間隔をもって軸対称に配されている。内側内周面２０、２１及び２２のＡ方向の夫々の端部４４は、テーパー面をもって終端するようにしてもよい。
【００４１】
接触部７３の内側内周面２０のＢ方向における両縁７６及び７７の夫々からラック軸５の中心Ｏに向かってＣ方向に伸びる仮想上の二辺７８及び７９並びに両縁７６及び７７を連結する仮想上の一辺８０によって形成される二等辺三角形の垂線８１と接触部７４の内側内周面２１のＢ方向における両縁８２及び８３からラック軸５の中心Ｏに向かってＣ方向に伸びる二辺８４及び８５並びに両縁８２及び８３を連結する一辺８６によって形成される二等辺三角形の垂線８７とが交わる角度θ２は、垂線８１と接触部７５の内側内周面２２のＢ方向における両縁８８及び８９からラック軸５の中心Ｏに向かってＣ方向に伸びる二辺９０及び９１並びに両縁８８及び８９を連結する一辺９２によって形成される二等辺三角形の垂線９３とが交わる角度θ２と等しい。
【００４２】
接触部７３、７４及び７５が一体形成されている内周面７１の部位を除く当該内周面７１の部位の夫々は、Ｃ方向において当該接触部７３、７４及び７５の内側内周面２０、２１及び２２よりも外側に配された外側内周面２７、２８及び２９を具備しており、外側内周面２７はＣ方向において内側内周面２０及び２１間に、外側内周面２８はＣ方向において内側内周面２０及び２２間に、外側内周面２９はＣ方向において内側内周面２１及び２２間に夫々配されている。
【００４３】
二対のスリット２３及び２４並びに２５及び２６は、Ｂ方向において内側内周面２１及び２２の夫々を挟んで配されていると共に内側内周面２１及び２２の夫々をＣ方向であって内外方向に移動自在とする。他のスリット３０は、外側内周面２９をＢ方向において部分的に分断している。
【００４４】
Ｂ方向において内側内周面２１を挟んで配された一対のスリット２３及び２４の夫々は、ブッシュ１７の本体部３５のＡ方向の一端面４５で開口していると共に一端面４５から円周方向溝１６を通り過ぎてブッシュ１７の本体部３５のＡ方向の他端面４６の近傍までＡ方向に伸びている。Ｂ方向において内側内周面２２を挟んで配された一対のスリット２５及び２６の夫々は、ブッシュ１７の本体部３５のＡ方向の一端面４５で開口していると共に一端面４５から円周方向溝１６を通り過ぎてブッシュ１７の本体部３５のＡ方向の他端面４６の近傍までＡ方向に伸びている。
【００４５】
スリット３０は、ブッシュ１７の本体部３５の他端面４６で開口していると共に他端面４６から円周方向溝１６を通り過ぎてブッシュ１７の本体部３５の一端面４５の近傍までＡ方向に伸びている。尚、ブッシュ１７の本体部３５には、外側内周面２７をＢ方向において部分的に分断するスリット並びに外側内周面２８をＢ方向において部分的に分断するスリットを更に具備していてもよく、斯かる両スリットは、スリット３０と同様に、ブッシュ１７の本体部３５の他端面４６で開口していると共に他端面４６から円周方向溝１６を通り過ぎてブッシュ１７の本体部３５の一端面４５の近傍までＡ方向に伸びていてもよく、また、線７２を対称軸として線対称に配されていてもよい。
【００４６】
外側内周面２７は、内側内周面２０、２１及び２２と外側内周面２７、２８及び２９とにより規定された貫通孔４７に挿着されるラック軸５の外周面４１との間においてＣ方向における円弧状の隙間５１を形成するようになっており、外側内周面２８は、ラック軸５の外周面４１との間において円弧状の隙間５２を形成するようになっており、外側内周面２９は、ラック軸５の外周面４１においてラック歯４側の外周面４８との間で隙間４９を形成するようになっている。このように、内周面７１は、当該内周面７１と接触部７３、７４及び７５とにより規定された貫通孔４７に挿着されるラック軸５の外周面４１との間で隙間４９、５１及び５２を形成するようになっている。
【００４７】
円筒状の外周面５５を有した突起３６は、Ｂ方向において一対のスリット２３及び２４に挟まれて配されていると共にラック軸５が貫通したギアハウジング６の内周面１２にその外周面５５で合成樹脂製のブッシュ１７の弾性力をもってぴったりと接触するようになっており、円筒状の外周面５６を有した突起３７は、Ｂ方向において一対のスリット２５及び２６に挟まれて配されていると共にラック軸５が貫通したギアハウジング６の内周面１２にその外周面５６で合成樹脂製のブッシュ１７の弾性力をもってぴったりと接触するようになっており、而して、ブッシュ１７は、突起３６及び３７を介してギアハウジング６の内周面１２に嵌合されている。
【００４８】
無端環状弾性部材１８は、その外周面５７とギアハウジング６の内周面１２との間で隙間３８よりも狭い環状の隙間５８を形成する一方、ブッシュ１７の本体部３５を弾性的に僅かに縮径させるように、部分的に外周面１５から突出して円周方向溝１６に装着されている。
【００４９】
位置決め手段１９は、本体部３５の外周面１５に一体的に形成された突起６０を具備しており、突起６０は、ギアハウジング６の内周面１２に形成された凹所５９においてそのＣ方向の先端部及びＡ方向の端面においてギアハウジング６に係合しており、これによりブッシュ１７は、Ｂ方向においてギアハウジング６に対して回転しない上に、ギアハウジング６内に必要以上に挿入されないようにされていると共に内側内周面２０、２１及び２２、突起３６及び３７並びにスリット２３、２４、２５、２６及び３０がラック軸５のラック歯４に関して位置決めされて配されている。
【００５０】
以上のラック−ピニオン式操舵装置１においては、ブッシュ軸受７は、外周面１５に少なくとも一つの円周方向溝１６を有する合成樹脂製のブッシュ１７と、ブッシュ１７の円周方向溝１６に装着されている無端環状弾性部材１８とを具備しており、ブッシュ１７は、内周面７１と、内周面７１をＢ方向において部分的に分断している少なくとも一つのスリット２３、２４、２５、２６及び３０と、ラック軸５のＡ方向及びピニオン２の軸心方向に直交する一の方向に伸びる線７２上においてラック軸５の外周面４１に摺動自在に接触するように内周面７１に形成されている接触部７３と、Ｂ方向において接触部７３に対して間隔をもって配されていると共に線７２よりも一方側においてラック軸５の外周面４１に摺動自在に接触するように内周面７１に形成されている接触部７４と、Ｂ方向において接触部７３に対して間隔をもって配されていると共に接触部７４との間で接触部７３を挟んで配されており、且つ線７２よりも他方側においてラック軸５の外周面４１に摺動自在に接触するように内周面７１に形成されている接触部７５とを具備しており、内周面７１は、当該内周面７１に形成された接触部７３、７４及び７５を除く部位において当該内周面７１並びに接触部７３、７４及び７５により規定された貫通孔４７に挿着されるラック軸５の外周面４１との間で隙間４９、５１及び５２を形成するようになっているために、ピニオン２の軸心方向の変位、ピニオン２に対して接近、離反する方向の変位等のＣ方向の変位が生じる虞をなくし得、しかも、クリープ変形及び熱履歴に伴う応力緩和の影響を低減できる。
【００５１】
ラック−ピニオン式操舵装置１では、一対の平坦面状の内側内周面２１及び２２とＢ方向において内側内周面２１及び２２の夫々を挟んで配されていると共に内側内周面２１及び２２の夫々をＣ方向であって内外方向に移動自在とする二対のスリット２３及び２４並びに２５及び２６とをブッシュ１７が具備して、内側内周面２１及び２２の夫々は、その一部でラック軸５のラック歯４側及びラック歯４側とは反対側の外周面を除く対応の外周面４２及び４３に摺動自在に接触するようになっている上に、無端環状弾性部材１８がブッシュ１７の円周方向溝１６に装着されているために、ラック軸５をＣ方向であってピニオン２の軸心方向、即ち図８において上下方向に関しては所定の剛性をもって支持でき、ラック軸５のピニオン２の軸心方向の変位を一対の内側内周面２１及び２２で抑制でき、Ａ方向の移動に関しては低い摩擦抵抗をもって移動自在に支持でき、しかも、外側内周面２７、２８及び２９の夫々は、貫通孔４７に挿着されるラック軸５の外周面４１との間で隙間４９、５１及び５２を形成するようになっているために、上記と相俟ってクリープ変形及び熱履歴に伴う応力緩和の影響を低減できる。
【００５２】
上記の例では、内側内周面２０、２１及び２２の夫々を平坦面状としたが、これに代えて、図９に示すように、凸面状であっても、更には、図１０に示すように、ラック軸５の外周面４１の曲率半径よりも大きな曲率半径をもった凹面状であってもよい。
【００５３】
ブッシュ軸受７において、上述の角度θ２は、図２及び図３に示すように、９０°であってもよく、９０°よりも大きな角度であって例えば図１１に示すように１２０°であってもよく、９０°よりも小さな角度であって例えば図１２に示すように６０°であってもよい。
【００５４】
尚、ブッシュ１７は、上述の内周面７１並びに接触部７３、７４及び７５に代えて、例えば図１３に示す内周面９５及び接触部１０３、１０４及び１０５を具備していてもよい。内周面９５は、夫々互いに交差する三つの凹面状の面９６、９７及び９８からなり、接触部１０３は面９６に、接触部１０４は面９７に、接触部１０５は面９８に夫々配されている。接触部１０３は、Ａ方向及びピニオン２の軸心方向に直交する一の方向に伸びる線７２上においてラック軸５の外周面４１に摺動自在に接触するように内周面９５に形成されており、接触部１０４は、Ｂ方向において接触部１０３に対して間隔をもって配されていると共に線７２よりも一方側においてラック軸５の外周面４１に摺動自在に接触するように内周面９５に形成されており、接触部７５は、Ｂ方向において接触部１０３に対して間隔をもって配されていると共に接触部１０４との間で接触部１０３を挟んで配されており、且つ線７２よりも他方側においてラック軸５の外周面４１に摺動自在に接触するように内周面９５に形成されている。面９６、９７及び９８の夫々は、ラック軸５の外周面４１の曲率半径よりも大きな曲率半径を有している。内周面９５は、当該内周面９５に形成された接触部１０３、１０４及び１０５を除く部位において当該内周面９５並びに接触部１０３、１０４及び１０５により規定された貫通孔４７に挿着されるラック軸５の外周面４１との間で隙間１０６、１０７及び１０８を形成するようになっている。図１３に示す面９６、９７及び９８の夫々は、凹面状であるが、例えば凸面状又は平坦面状であってもよい。
【符号の説明】
【００５５】
１  ラック−ピニオン式操舵装置
２  ピニオン
３  歯
４  ラック歯
５  ラック軸
６  ギアハウジング
７  ブッシュ軸受
１２、７１、９５  内周面
１５、４１、４２、４３、４８、５０、５５、５６、５７  外周面
１６  円周方向溝
１７  ブッシュ
１８  無端環状弾性部材
２０、２１、２２  内側内周面
２３、２４、２５、２６、３０  スリット
２７、２８、２９  外側内周面
７１、９５  内周面
７３、７４、７５、１０３、１０４、１０５  接触部
【図１】
2014047833.tif 000003
【図２】
2014047833.tif 000004
【図３】
2014047833.tif 000005
【図４】
2014047833.tif 000006
【図５】
2014047833.tif 000007
【図６】
2014047833.tif 000008
【図７】
2014047833.tif 000009
【図８】
2014047833.tif 000010
【図９】
2014047833.tif 000011
【図１０】
2014047833.tif 000012
【図１１】
2014047833.tif 000013
【図１２】
2014047833.tif 000014
【図１３】
2014047833.tif 000015